(57)【要約】【課題】オブジェクトの名称を表示してユーザに報知し、所望の被写体をユーザが間違ってしまうことを防止した携帯機器を提供する。【解決手段】制御部３は、名称を被写体の映像とともに表示する。例えば、制御部３は、山７１の名称「ＡＢ山」を示す文字７１Ａと、山７２の名称「ＸＹ山」を示す文字７２Ａと、山７３の名称「ＣＤ山」を示す文字７３Ａと、を表示部７に表示する。ハイキング中、装置本体１００の位置周囲に存在する被写体の名称が分からない場合、ユーザは、レンズ２０をその被写体の方向に向けて、その被写体を表示部７の撮影範囲に収めれば良い。これにより、表示部７において、その被写体の名称がスルー画像中に表示される（図５参照）。よって、ユーザは、その被写体の名称を知ることができる。【選択図】  図５
2008131217.tif 000002
【特許請求の範囲】
【請求項１】
撮影されている被写体の映像を画面に表示する表示手段を備えた携帯機器において、
装置本体の位置周囲を含む地図と該地図上に存在するオブジェクトの名称と前記オブジェクトの高さとを含む地図情報を記憶する記憶手段と、
前記装置本体の測位を行う測位手段と、
前記装置本体の方位を検出する方位検出手段と、
前記方位検出手段が検出した方位と前記測位手段が測位した現在位置とに基づいて、前記表示手段が表示している被写体の名称と高さを前記地図情報から抽出し、前記表示手段において前記画面の中央に表示されている被写体のみ、その名称と高さを前記被写体の映像とともに前記表示手段に表示する表示制御手段と、を備える携帯機器。
【請求項２】
撮影されている被写体の映像を画面に表示する表示手段を備えた携帯機器において、
装置本体の位置周囲を含む地図と該地図上に存在するオブジェクトの名称とを含む地図情報を記憶する記憶手段と、
前記装置本体の測位を行う測位手段と、
前記装置本体の方位を検出する方位検出手段と、
前記方位検出手段が検出した方位と前記測位手段が測位した現在位置とに基づいて、前記表示手段が表示している被写体の名称を前記地図情報から抽出し、その名称を前記被写体の映像とともに前記表示手段に表示する表示制御手段と、を備える携帯機器。
【請求項３】
前記表示制御手段は、前記表示手段において前記画面の中央に表示されている被写体のみ、その名称を前記表示手段に表示する請求項２に記載の携帯機器。
【請求項４】
前記地図情報は、さらに、前記オブジェクトの高さを含み、
前記表示制御手段は、前記表示手段が表示している被写体の名称と高さを前記地図情報から抽出して、その名称と高さを前記被写体の映像とともに前記表示手段に表示する請求項２又は３に記載の携帯機器。
【発明の詳細な説明】
【技術分野】
【０００１】
本発明は、ユーザが持ち運び可能な携帯電話や撮影装置等の携帯機器に関し、撮影されている被写体の映像を画面に表示する表示部を備えた携帯機器に関するものである。
【背景技術】
【０００２】
ユーザが持ち運び可能な携帯機器には、カメラ付き携帯電話等がある。カメラ付き携帯電話は、撮影されている被写体の映像を画面に表示する表示部等から構成されている。
【０００３】
ユーザは、建物や山などのオブジェクトがある方向に携帯機器を向け、この表示部の画面に、オブジェクトを収める。その後、ユーザは、そのオブジェクトの写真撮影などを行う。
一方、撮影装置が提案されている（特許文献１参照）。
【特許文献１】特開２００２−９４８７０公報
【発明の開示】
【発明が解決しようとする課題】
【０００４】
しかしながら、ユーザが勘違いし、所望するオブジェクトと異なるオブジェクトを表示部に収めてしまうことがある。例えば、妙義山を所望しているにも係わらず、勘違いして隣の山を表示部に収めてしまうことがある。
その結果、従来の携帯機器では、ユーザが、写真撮影する被写体を間違ってしまうことなどがあった。
【０００５】
本発明はこのような従来の課題を解決しようとするものであり、オブジェクトの名称を表示してユーザに報知し、所望の被写体をユーザが間違ってしまうことを防止した携帯機器を提供することを目的とする。
【課題を解決するための手段】
【０００６】
本発明の携帯機器は、前記課題を解決するために以下の構成を備えている。
【０００７】
（１）撮影されている被写体の映像を画面に表示する表示手段を備えた携帯機器において、
装置本体の位置周囲を含む地図と該地図上に存在するオブジェクトの名称とを含む地図情報を記憶する記憶手段と、
前記装置本体の測位を行う測位手段と、
前記装置本体の方位を検出する方位検出手段と、
前記方位検出手段が検出した方位と前記測位手段が測位した現在位置とに基づいて、前記表示手段が表示している被写体の名称を前記地図情報から抽出し、その名称を前記被写体の映像とともに前記表示手段に表示する表示制御手段と、を備える。
【０００８】
この構成において、オブジェクトは、例えば建物、山である。携帯機器は、例えば撮像装置、携帯電話である。
ユーザは、オブジェクトがある方向に携帯機器を向け、この表示手段の画面に、オブジェクトを収める。すると、表示制御手段は、方位検出手段が検出した方位と測位手段が測位した現在位置とに基づいて、表示手段が表示している被写体の名称を地図情報から抽出する。そして、表示制御手段は、その名称を被写体の映像とともに表示手段に表示する。
そのため、ハイキング中等に、装置本体の位置周囲に存在する被写体の名称が分からない場合、ユーザは、レンズをその被写体の方向に向けて、その被写体を表示手段の撮影範囲に収めれば良い。これにより、表示手段において、その被写体の名称が表示される。
従って、ハイキング中等に、装置本体の位置周囲に存在する被写体の名称が分からない場合でも、ユーザは、その被写体の名称を知ることができる。
また、携帯機器が撮像装置であれば、被写体とその名称が表示手段に表示されている状態で、ユーザは、携帯機器に設けられたシャッターキーを押下し、被写体の写真撮影を行う。
この時、被写体の名称を表示してユーザに報知しているので、この構成では、写真撮影する被写体をユーザが間違ってしまうのを防止できる。具体的には、妙義山を所望しているにも係わらず、勘違いして隣の山を中心に収めてしまうケースを防止できる。
【０００９】
（２）前記表示制御手段は、前記表示手段において前記画面の中央に表示されている被写体のみ、その名称を前記表示手段に表示する。
【００１０】
通常、ユーザは、表示手段において、写真撮影したい被写体を中心に収める。この場合、所望の被写体以外の名称をユーザが邪魔に思うこともある。
この構成においては、表示手段において画面の中央に表示されている被写体のみ、その名称を表示している。
以上により、ユーザは、所望の被写体のみ、その名称を知ることができる。換言すると、ユーザが不要な名称を目にするのを防ぐことができる。
【００１１】
（３）前記地図情報は、さらに、前記オブジェクトの高さを含み、
前記表示制御手段は、前記表示手段が表示している被写体の名称と高さを前記地図情報から抽出して、その名称と高さを前記被写体の映像とともに前記表示手段に表示する。
【００１２】
この構成においては、記憶手段は、オブジェクトの高さを含む地図情報を記憶する。つまり、オブジェクトが山であれば、地図情報は、山の標高を含む。
そして、表示制御手段は、被写体の名称とともに該被写体の高さを地図情報から抽出し、表示手段に表示する。
これにより、ユーザは、被写体及びその名称とともに、被写体の高さを知ることができる。
【発明の効果】
【００１３】
この発明によれば、ハイキング中等に、装置本体の位置周囲に存在する被写体の名称が分からない場合でも、ユーザは、その被写体の名称を知ることができる。また、写真撮影する被写体をユーザが間違ってしまうのを防止できる。
【発明を実施するための最良の形態】
【００１４】
以下、本発明の実施形態である携帯機器について説明する。
【００１５】
図１は、本発明の実施形態である携帯機器の主要な構成を示すブロック図である。図２は、本発明の実施形態である携帯機器の外観斜視図である。図３は、本発明の実施形態である携帯機器の背面図である。
【００１６】
図１に示すように、携帯機器１００は、装置本体１００の方位を検出する方位センサ１と、被写体及びその周囲の映像を取り込む撮影部２と、装置本体１００各部の動作を制御する制御部３と、ユーザからの操作を受け付ける操作部４と、取り込まれた被写体の映像に対応する画像データを一時記憶するＤＲＡＭ５と、その画像データを保存するフラッシュメモリ６と、被写体の映像を画面に表示する表示部７と、装置本体１００の測位を行う測位部８と、地図情報に基づく地図画像を表示する表示部９と、を備える。
ここで、制御部３が、本発明の「表示制御手段」に相当する。また、フラッシュメモリ６が、本発明の「記憶手段」に相当する。
【００１７】
方位センサ１は、ＭＲ素子等の地磁気センサを備えた電子方位計測装置から構成される。方位センサ１は、地磁気との角度を検出し、方位情報を制御部３に送出する。
【００１８】
撮影部２は、撮影レンズ２０と、ズーム部を含む光学系と、ＣＣＤ及びＣＣＤ駆動部を含む信号変換部と、信号処理部と、から構成される（いずれも不図示）。撮影部２は、ズーム部において、制御部３の制御に基づいてズームレンズ（不図示）を移動させてズーム動作を行う。
【００１９】
制御部３は、例えばＣＰＵで構成されている。さらに、制御部３は、装置１００の各部の制御方法が記述された制御プログラムを格納するＲＯＭと、その制御プログラムで処理されるデータを展開するためのワークフィールドとしてのＲＡＭと、現在時刻の計時や時間を計測するタイマ回路と、を内臓する（いずれも不図示）。ここで、ＲＯＭには上述した各プログラムのほかメニューデータ等が格納されている。
これらのＣＰＵやＲＯＭ等はバスを介して接続されており、制御部３は、ＲＯＭに格納されている制御プログラムに従って、携帯機器１００全体の制御を行なう。さらに、制御部３は、操作部４からのコマンドに対応して、ＲＯＭに格納されている各モード処理用のプログラム等を取り出し、携帯機器１００の各機能の実行制御等を行なう。制御部３は、ズームキー４３の操作により指定されるズーム量に基づいて、撮影部２におけるズーム部を制御する。
【００２０】
操作部４には、モード選択スイッチ４１、シャッターキー４２、ズームキー４３、電源キー４４、及び図示しない機能選択キー等が設けられている。これらのキー或いはスイッチが操作されると、それらの操作に応じたコマンドが制御部３に送出される。
【００２１】
ＤＲＡＭ５は、作業用メモリとして用いられる。ＤＲＡＭ５には、撮影画像や再生画像を一時的に記憶する画像バッファ領域や圧縮／伸張時の作業用領域等が確保されている。
【００２２】
フラッシュメモリ６は、写真撮影された被写体の画像を保存記憶する。また、フラッシュメモリ６は、地図と該地図上に存在するオブジェクトの名称とを含む地図情報を格納する。この地図は、少なくとも装置本体１００の位置周囲を含む地図である。ここで、オブジェクトは、山や建物である。
なお、フラッシュメモリ６に代えてメモリカード等の着脱可能なメモリを用いるようにしてもよい。
【００２３】
表示部７は、ビデオメモリ、ビデオエンコーダ及び液晶表示部から構成されている。
【００２４】
測位部８は、ＧＰＳアンテナ８Ａ、ＲＦ、Ａ／Ｄ、データレジスタ、カウンタ、デコーダ及びそれらを制御する制御部（マイクロコンピュータ）等により構成されている。測位部８は、ＧＰＳ衛星からの電波をＧＰＳアンテナ８Ａで受信し、増幅および復調した後、取得した衛星データの解読を行なう。そして、測位部８は、解読したデータにより携帯機器１００の自己位置計算等の位置計測（測位）を行ない、位置情報を制御部３に送出する。
【００２５】
表示部９は、ビデオメモリ、ビデオエンコーダ及び液晶表示部から構成されている。ビデオエンコーダは、制御部３からビデオメモリに出力された画像データをビデオ信号に変換し、液晶表示部に出力する。液晶表示部は、出力されたビデオ信号を画面表示する。これにより、表示部９は、装置本体１００の位置周囲の地図を地図情報に基づいて表示する（図２参照）。
【００２６】
なお、携帯機器１００から被写体までの距離を測定する測距センサを設けてもよい。また、この実施形態では、表示部９を設けているが、実施の際は、表示部９を設けなくとも構わない。
【００２７】
ここで、ユーザによって撮影されている被写体の映像を画面に表示する際の動作について説明する。
まず、撮影部２は、撮影レンズ２０で取込んだ被写体の映像を信号変換部でＣＣＤ等の撮影素子により画像信号に変換して、デジタルデータに変換する。さらに、撮影部２は、そのデジタルデータからデジタルの輝度、色差マルチプレクス信号（Ｙ、Ｃｂ、Ｃｒデータ）等の信号成分（以下、画像データ）を信号処理部で取得する。そして、撮影部２は、画像データをＤＲＡＭ５に転送する。さらに、表示部７においてスルー画像を表示するため、撮影部２は、ＤＲＡＭ５の画像データを、制御部３を介して表示部７に転送する。ここで、スルー画像とは、現在レンズを通して見えている像を示す画像である。また、ＤＲＡＭ５の画像データは、スルー画像の表示動作中、常に、最新の情報に更新される。
【００２８】
表示部７におけるビデオエンコーダは、撮影部２からビデオメモリに出力された画像データをビデオ信号に変換し、液晶表示部に出力する。液晶表示部は、出力されたビデオ信号を画面表示する。これにより、表示部７は、制御部３の表示制御により、撮影時のスルー画像を表示する（図２、後述の図５参照）。さらに、表示部７は、制御部３の表示制御により、文字を表示する（図２、後述の図５参照）。
【００２９】
そして、シャッターキー４２が押下されると、制御部３は、現在ＤＲＡＭ５に格納されている画像データを（例えばＪＰＥＧで）圧縮し、フラッシュメモリ６に保存する。これにより、被写体の写真撮影が完了する。
この写真撮影が完了した後、フラッシュメモリ６に格納されている画像データの再生が操作部４で指示されると、制御部３は、再生対象となる画像データをフラッシュメモリ６から読み出し、ビデオメモリに出力する。ビデオエンコーダは、制御部３からビデオメモリに出力された画像データをビデオ信号に変換し、液晶表示部に出力する。液晶表示部は、出力されたビデオ信号を画面表示する。これにより、表示部７は、フラッシュメモリ６の画像データを表示部７で再生する際の再生画像を表示する（図２、後述の図５参照）。さらに、表示部７は、制御部３の表示制御により、文字を表示する。
【００３０】
図４は、本発明の実施形態である携帯機器において制御部が行う動作を示すフローチャートである。この動作は、電源キー４４が押下された時の動作である。
【００３１】
電源キー４４が押下されると、制御部３は、スルー画像を表示部７に表示する（Ｓ１）。これにより、表示部７には、スルー画像として、ユーザによって撮影されている被写体の映像が表示される。ここで、この実施形態では、ユーザは、山の方向に携帯機器１００を向け、この表示部７の画面に、所望の山を収めることとする。
【００３２】
次に、制御部３は、装置本体１００の測位を行うよう測位部８に指示し、装置本体１００の現在位置を示す位置情報を取得する（Ｓ２）。
【００３３】
制御部３は、装置本体１００の方位を検出するよう方位センサ１に指示し、装置本体１００の方位を示す方位情報を取得する（Ｓ３）。
【００３４】
制御部３は、装置本体１００の現在位置と装置本体１００の方位とに基づいて、フラッシュメモリ６から地図情報を読み出し、図２に示すような装置本体１００の位置周囲の地図を表示部９に表示する（Ｓ４）。
【００３５】
制御部３は、表示部７で表示されている被写体の名称が、表示部９で表示されている地図上に存在するか否かを判定する（Ｓ５）。この判定は、フラッシュメモリ６から読み出した地図情報に基づいて行われる。
【００３６】
Ｓ５の判定が否定であれば、制御部３は、本処理を終了する。
【００３７】
一方、Ｓ５の判定が肯定であれば、制御部３は、表示部７で表示されている被写体の名称を地図情報から抽出し、その名称を被写体の映像とともに表示部７に表示する（Ｓ６）。そして、制御部３は、本処理を終了する。
【００３８】
図５は、表示部７における撮影映像表示の一例を示す図である。例えば、制御部３は、Ｓ６において、図５に示すような名称を被写体の映像とともに表示する。図５では、山７１の名称「ＡＢ山」を示す文字７１Ａと、山７２の名称「ＸＹ山」を示す文字７２Ａと、山７３の名称「ＣＤ山」を示す文字７３Ａと、が表示されている。
このように、山７１〜７３とそれらの名称７１Ａ〜７３Ａが表示部７に表示されている状態で、ユーザは、シャッターキー４２を押下し、被写体の写真撮影等を行う。
【００３９】
この時、山７１〜７３の名称７１Ａ〜７３Ａを表示してユーザに報知しているので、携帯機器１００では、写真撮影する被写体をユーザが間違ってしまうのを防止できる。具体的には、山７１を所望しているにも係わらず、勘違いして隣の山７２を中心に収めてしまうケースを防止できる。
【００４０】
また、ハイキング中、装置本体１００の位置周囲に存在する被写体の名称が分からない場合、ユーザは、レンズ２０をその被写体の方向に向けて、その被写体を表示部７の撮影範囲に収めれば良い。これにより、表示部７において、その被写体の名称がスルー画像中に表示される（図５参照）。よって、ユーザは、その被写体の名称を知ることができる。
【００４１】
なお、この実施形態では、被写体として山７１〜７３を用いているが、実施の際は、山に限定する必要はない。例えば、建物でも構わない。
【００４２】
また、本発明の実施形態は、以下の変形例を採用することができる。
【００４３】
（第１変形例）
図６は、表示部７における撮影映像表示の一例を示す図である。通常、ユーザは、表示部７において、写真撮影したい被写体を中心に収める。この場合、所望の被写体以外の名称が邪魔に思うこともある。
【００４４】
そこで、制御部３は、図４のＳ６において、表示部７において画面の中央に表示されている被写体のみ、その名称を表示してもよい。図６に示すように、表示部７において画面の中央に表示されている被写体は、中央線７０に位置する山７２である。図６では、山７２のみ、名称「ＸＹ山」を示す文字７２Ａが表示されている。
以上により、ユーザは、所望の被写体のみ、その名称を知ることができる。換言すると、ユーザが不要な名称を目にするのを防ぐことができる。
【００４５】
（第２変形例）
図７は、表示部７における撮影映像表示の一例を示す図である。フラッシュメモリ６に、山の標高を含む地図情報を格納させても良い。そして、制御部３は、図４のＳ６において、山の名称とともに該山の標高を地図情報から抽出し、表示部７に表示する（図７参照）。図７では、山７１の標高を示す文字７１Ｂと、山７２の標高を示す文字７２Ｂと、山７３の標高を示す文字７３Ｂと、が表示されている。
【００４６】
又、次のように構成させても良い。測位部８は、４基のＧＰＳ衛星からの電波をＧＰＳアンテナ８Ａで受信し、増幅および復調した後、取得した衛星データの解読を行なう。これにより、測位部８は、被写体の標高を取得できる。そして、図４のＳ２において、測位部８は、被写体の標高を含む位置情報を制御部３に伝送する。制御部３は、図４のＳ６において、山の名称とともに該山の標高を表示部７に表示する（図７参照）。
【００４７】
以上により、ユーザは、被写体である山及びその名称とともに、その標高を知ることができる。
なお、図６に示すように、表示部７において画面の中央に表示されている被写体のみ、その名称と標高を表示するよう構成してもよい。
【００４８】
（第３変形例）
ユーザによりシャッターキー４２が押下され、ＤＲＡＭ５の画像データをフラッシュメモリ６に保存する際、制御部３は、画像データとともに名称をフラッシュメモリ６に保存しても良い。
【００４９】
後日、画像データを表示部７で再生する際、制御部３は、山の名称を表示部７に表示する（図５参照）。これにより、ユーザは、被写体である山とともに、その名称を知ることができる。
【００５０】
（第４変形例）
ユーザによりシャッターキー４２が押下され、ＤＲＡＭ５の画像データをフラッシュメモリ６に保存する際、制御部３は、画像データ及び名称とともに標高をフラッシュメモリ６に保存しても良い。
【００５１】
後日、画像データを表示部７で再生する際、制御部３は、山の名称とともに該山の標高を表示部７に表示する（図７参照）。これにより、ユーザは、被写体である山とともに、その標高を知ることができる。
【図面の簡単な説明】
【００５２】
【図１】本発明の実施形態である携帯機器の主要な構成を示すブロック図
【図２】本発明の実施形態である携帯機器の外観斜視図
【図３】本発明の実施形態である携帯機器の背面図
【図４】本発明の実施形態である携帯機器において制御部が行う動作を示すフローチャート
【図５】表示部７における撮影映像表示の一例を示す図
【図６】表示部７における撮影映像表示の一例を示す図
【図７】表示部７における撮影映像表示の一例を示す図
【符号の説明】
【００５３】
１−方位センサ
２−撮影部
３−制御部
４−操作部
５−ＤＲＡＭ
６−フラッシュメモリ
７−表示部
８−測位部
８Ａ−ＧＰＳアンテナ
９−表示部
２０−撮影レンズ
４１−モード選択スイッチ
４２−シャッターキー
４３−ズームキー
４４−電源キー
７０−中央線
７１−山
７１Ａ、Ｂ−文字
７２−山
７２Ａ、Ｂ−文字
７３−山
７３Ａ、Ｂ−文字
１００−携帯機器
【図１】
2008131217.tif 000003
【図２】
2008131217.tif 000004
【図３】
2008131217.tif 000005
【図４】
2008131217.tif 000006
【図５】
2008131217.tif 000007
【図６】
2008131217.tif 000008
【図７】
2008131217.tif 000009